(57)【要約】      （修正有）【課題】肛門、ペニス、陰門等からの各自の排出する排出物を単独、独立、区分する変わり種オムツに関する構造・構成・機能を提供する。【解決手段】変わり種オムツ の発明における、該機構の構造・構成・又は機能を備えた発明により、より便利・簡易・衛生的・快感的な手段を備えている変わり種オムツ 。【選択図】図１
2007152088.tif 000002
【特許請求の範囲】
【請求項１】
肛門・陰門・から排泄物を排泄する該出口部、又該周囲に関与する・関連する・関係する・係わる排泄物の管理・保持・処理する製品に於いて、該製品は肛門・陰門・等を各自別々に・該単独に・又は該独立的に関与・関係・関連、設定して、排泄物・汚物（尿・便）に直接的に・間接的に、該関係する・該関連する・該関与する際、その保持・管理・又はその処理を行う。又該排泄物・汚物に対処する仕法・該対処する作用の機構・該対処する在り方・該対処する保持の方法、又は上記特徴を有する該製品の該機能、又は該構造・構成の所持、又は該出来得る手段を有した特徴の上記記載の少なくても何れか１つ記載とする製品。
【請求項２】
ペニス・肛門・陰門・から排泄物を排泄する該出口部、又該周囲に関与する・関連する・関係する・係わる、の管理・保持・処理する製品に於いて、該製品はペニス・肛門・陰門・等を各自別々に・該単独に・又は該独立的に関与・関係・関連、設定して、排泄物・汚物（尿・便）に直接的に・間接的に、該関係する・該関連する・該関与する際に於ける、上記記載の如く、各自別々に・該単独に・又は該独立的に、その保持・管理・又はその処理を行う。又は該排泄物・汚物に対処する仕法、又は該作用の機構、又は該在り方、又は該保持の方法、又は該機能、又は該構造・構成の所持、又は該出来得る該手段を有する。該特徴の上記記載の少なくても何れか１つ記載とする製品をオムツ・ナプキン・又はパット等の生理用品類に直接的・間接的、に該関係させる・該関連させる・該関与させる・貼付する・添付する・係合する・又は装着させる製品。     
【請求項３】
ペニス・肛門・又は陰門から排出する排泄物に関与する、或いは関係する製品に於いて、該製品、或いは該部分に、肛門と陰門との境・境界・区分・又は分離をする、又はペニスと肛門との境・境界・区分・又は分離をする事が出来得る手段を設る事を特徴とする製品。
【請求項４】
ペニス・肛門・或いは陰門を各自別々に・単独に被着・被包・取り囲み・保持・又は被覆する手段を有して、尿・便とは、上記記載該手段にて、各自個々別々に・単独に、関与して・関係して・関連して、管理する、廃棄する・保持する・又は該処する製品・部分・部品に於いて、吸水する・吸収する、又は保持する、又は漏らす・逃す・排出する・又は浸す、又は逆流防止する事が出来える手段を有した特徴の上記記載の少なくても何れか１つ記載とする特徴を、請求項１乃至請求項３項、請求項５乃至請求項６項の少なくても何れか１つに記載の請求項。
【請求項５】
ペニスに関与する・関係する・関連する製品、該部分、該部品において、又は肛門に関与する・関係する・関連する製品、該部分、該部品において、又は陰門に関与する・関係する・関連する製品、該部分、該部品、に於いて、該製品、該部分、又は該部品は、包囲機能構造類・袋機能構造類・胞衣機能構造類・房機能構造類・部屋機能構造類・具機能構造類・機能体機能構造類・器機能構造類・機能体構造類・係止型機能構造類・ネット機能構造類・受け具機能構造類・受け体機能構造類・受け器機能構造類・逆流防止機能構造類・弁機能構造類・菊型開閉（星形構造）機能構造類・蛇腹式機能構造類・吸盤機能構造類・縮小可能とする機能構造類・拡大可能とする構造機能類・展開機能構造類・開閉機能構造類・剥離機能構造類・漏れ防止機能構造類・漏らす作用機能構造類・排出する機能構造類・複数穴設定機能構造類・係合機能構造類・係着機能構造類・案内機能構造類・吸水剤使用機能構造類・吸収材使用機能構造類・又は多重機能構造類とする特徴を有する。上記記載の特徴を、又は上記該構造・類等を、形状する、又は形態する、又は形成する、又は該機能を有する、又は該構造とする、又は該手段を有する、上記記載の各々の特徴を持つ。該特徴の上記記載の少なくても何れか１つ記載とする特徴の、請求項１乃至４項、請求項６の少なくても何れか１つ記載の請求項。
【請求項６】
身体・物質・又は物体等に、圧着・押着・密着・包囲・係合・係着・装着・付帯・添付・付設・垂れ下がり・つりさがり・持ち下がり・帯びたい・ワッパ帯・結合・係止又は付着させることが出来得る手段を有する特徴の上記記載の少なくても何れか１つ記載とする特徴の、請求項１乃至請求項５の少なくても何れか１つ記載の請求項。
【発明の詳細な説明】
【技術分野】
【０００１】
本発明はペニス、肛門、又は陰門等から排出する排出物、汚物に関する
【背景技術】
【０００２】
従来のペニス、肛門、又は陰門等から排出する排出物、汚物を処理保持する物としてオムツ、（むつき、おしめとも言う）が使われていた。オムツはパンツの様な形状で該オムツの中で便・尿を処理・保持されていた。依って、従来のオムツは、 ペニス、肛門、又は陰門等から排出する排出物、汚物を一緒くたに受け手具である該具・体・器等としての名のオムツを以て包囲を為し保持いる、該汚物はオムツ内に排出された便・尿等を一緒くたの汚物として全部をオムツ内に排泄するので、しも半身（前横後）全体部に広がって汚物にまみれていた。依ってその汚物で下半身体の部分が汚染されているオムツ内の状態であった。
【発明の開示】
【発明が解決しようとする課題】
【０００３】
依って、従来のペニス、肛門、又は陰門等から排出する排出物、汚物の器・具体類の名のオムツは上記記載の設定のオムツ（身に装着する物）のみで有るために、排出する排出物、汚物を一緒くたに受け手具である所のオムツを以て包囲を為し、オムツ内に排出された汚物により、オムツ内の下半身体（前横後を含む）全体部が汚物にて汚染される物であった。 其処で、現代に於いて、老人の寝たっきりの人等の介護を必要の人、お漏らしする人、身体の動かすことが出来ない病人等々のオムツを必要とする人が多くなってきた。この従来のオムツのあり方、方法、処理の仕方に於いては、面倒であり、且つ大量な汚物の便、尿の混入する排出した処理には手間がかかり、該処理が不完全になり易く不衛生である事が問題になってくる。依って介護人に依るオムツの交換から細菌、ウイルス、ばい菌等の感染が老人ホ−ムにて集団発生した状況が多くある。又通常長時間の車等にて（カンズメ）身動き出来ない状態になる際の排出手段として利用出来、又出発時に装着も出来、更に使用状況状態も違和感無しで簡易に装着できる。      
【０００４】
本発明は、以上の実状に鑑みて、ペニス、肛門、又は陰門等からの各自、各々の排出する排出物、汚物の便、尿を単独、独立、区分、『ペニス、肛門、又は陰門。〈又は身体の他部分の睾丸と複数〉』に１つ１つ各自分類、分割する変わり種のオムツの具、体、器として、受け手具、又は処理、作用、機能、仕法、保持する手段を有して為す、又該し得ること事を（身体に関与する、又は該製品着付けにて、移動・稼働可能、し得る）目的とするものである。以後該製品を具、体、器、機能体等を含む生理用品である。（此処で別名総称変わり種のオムツとして呼ぶこともある）
【課題を解決するための手段】
【０００５】
上記目的を達成すべく、
請求項１に記載された発明では、  
肛門・陰門・から排泄物を排泄する該出口部、又該周囲に関与する・関連する・関係する・係わる排泄物の管理・保持・処理する製品に於いて、該製品は肛門・陰門・等を各自別々に・該単独に・又は該独立的に関与・関係・関連、設定して、排泄物・汚物（尿・便）に直接的に・間接的に、該関係する・該関連する・該関与する際、その保持・管理・又はその処理を行う。又該排泄物・汚物に対処する仕法・該対処する作用の機構・該対処する在り方・該対処する保持の方法、又は上記特徴を有する該製品の該機能、又は該構造・構成の所持、又は該出来得る手段を有した特徴の上記記載の少なくても何れか１つ記載とする製品。
【０００６】
ペニス、肛門、又は陰門に、該単独に、各々別々に又は独立に関与・関係させてなる変わり種のオムツである。又は具・体・器、機能体とも呼べる該機能、作用、構造の手段を備えた製品である。ペニス、肛門、又は陰門等から排出する排出物、汚物の尿、便を１つ１つを別別に、単独（ただし、身体の他部分の睾丸とは一対とする場合がある）（又例えば、男性はペニスと金玉が連なっている構造身体であるため、金玉を身体の他部分と名称とし、機能体設定によっては、ペニスと金玉を複数とはみなさなく、共にこれに関与した手段も含む。）に、分類、区別、分割する、該保持する、受け手、又は排却する、等とする、具・体・器、の製品（変わり種のオムツ）とも言える。
【０００７】
又は、ペニス、肛門、又は陰門を別々に、単独に、独立に分類、区別、分割して、上記記載の汚物の尿、便を該受け手（保持）、排却する（捨てる）、等とする製品の該排泄物・汚物を対処する該保持、処理、作用、機能、仕法、を為す事がし得ることが出来る構造、構成、機能、とする手段を有すとした事である。
【０００８】
この事由により、便と尿とが分離して簡易処理出来る・保持出来る・又機能、機構が出来る、又排泄物の分類、分割、区別する事により、該特徴をより効果的にする。依って、便・尿とでは相違する汚物における特徴により各々の該処理・保持・機能の仕法も異なってくる。従って相違異なる各々として、おこなえる機構・構造・機能とする、生理用品の具、物、器、機能体とし為し、効率的・衛生的・安全・手間が係らずに扱え、又該排出物、排棄物を包囲出来、保持出来、又それ等受ける、捨てる（例えば袋の様な構造）を一緒に行う所の共通する一対物の機能として、ペニス、肛門、又は陰門、各々に関与装着を為す、又それ等は単独、各自に扱いが出来る事により、取り付け、取り外す仕法も簡単になる物である。
【０００９】
従って、生理用品の具、物、器、機能体とし、又は生理用品類等のオムツ・パット・又はナプキンと共存・共有した複合体とすることも出来る。これらは便利なグッツの製品となり、依ってそれ等は簡易に交換出来る、手を汚さない便利で、衛生面も良好な扱いが出来る具・体・器・機能体である、故に、又下記請求項２項に示す様に本該生理用品特徴、と従来のオムツ・パット・又はナプキンとが共有若しくは共存体となる物である。又は、受け手製品、部品（具・体・器）・又は処理製品、部品（具・体・器 ）等の製品、部品（具・体・器）は上記記載各各の該身体（ペニス、肛門、又は陰門）に関与する、又は簡単に装着・脱着出来る、該処理・処理・仕法・仕法・機能を有する手段を持ち、それ等が具とする・体とする・器とする・機能体とする事が出来える手段を有し、よって、該機能、該働き、作用を為す。該具・体・器又は機能体・物とする構造とした。依って上記記載等をも含め、該何れら１つの手段を持ってしても各々の該特徴は得られる  。
【００１０】
請求項２に記載された発明では、      
ペニス・肛門・陰門・から排泄物を排泄する該出口部、又該周囲に関与する・関連する・関係する・係わる、の管理・保持・処理する製品に於いて、該製品はペニス・肛門・陰門・等を各自別々に・該単独に・又は該独立的に関与・関係・関連、設定して、排泄物・汚物（尿・便）に直接的に・間接的に、該関係する・該関連する・該関与する際に於ける、上記記載の如く、各自別々に・該単独に・又は該独立的に、その保持・管理・又はその処理を行う。又は該排泄物・汚物に対処する仕法、又は該作用の機構、又は該在り方、又は該保持の方法、又は該機能、又は該構造・構成の所持、又は該出来得る該手段を有する。該特徴の上記記載の少なくても何れか１つ記載とする製品をオムツ・ナプキン・又はパット等の生理用品類に直接的・間接的、に該関係させる・該関連させる・該関与させる・貼付する・添付する・係合する・又は装着させる製品。    
【００１１】
依って、本発明特徴としての、生理用品類に具、物、器、機能体、該構成又は構造体となす事が出来る手段を有する、又は該手段により生理用品類の具、物、器、機能体、該構成又は構造体を一対と・一体と・なす事が出来る。然るに従来のオムツ・パット・又はナプキン等とに共存・共有した複合体とすることが出来る。（オムツ・パット・又はナプキン等に本発明の特徴製品を関与・接し・関連して、オムツ・パット・又はナプキン等の該上又は該下「又は左右・横縦も含む」に添付・装着・接着・貼付等をする構造）。これらは便利なグッツの製品となり、依ってそれ等は簡易に別々に・単独に・単一に交換・取り替えが出来るので、尿・便等での単体処理が可能である故に、汚物の拡散を防ぎ、単体処理の為手の汚さなく簡単便利であり、衛生面も良好な扱いが出来る具・体・器・機能体である、故に、本該生理用品特徴、と従来のオムツ・パット・又はナプキンとが共有若しくは共存体となる物である。又は、受け手製品、部品（具・体・器）・又は処理製品、部品（具・体・器 ）等の製品、部品（具・体・器）は上記記載各各の該身体（ペニス、肛門、又は陰門）に関与する、又は簡単に装着・脱着出来る、該処理・処理・仕法・仕法・機能を有する手段を持ち、それ等が具とする・体とする・器とする・機能体とする事が出来える手段を有し、よって、該機能、該働き、作用を為す。該具・体・器又は機能体・物とする構造とした。依って上記記載等をも含め、該何れら１つの手段を持ってしても各々の該特徴は得られる
【００１２】
請求項３に記載された発明では、             
ペニス・肛門・又は陰門から排出する排泄物に関与する、或いは関係する製品に於いて、該製品、或いは該部分に、肛門と陰門との境・境界・区分・又は分離をする、又はペニスと肛門との境・境界・区分・又は分離をする事が出来得る手段を設る事を特徴とする製品。
【００１３】
便と尿との排泄物を分離させる・分けて処理する手段の１つである製品で脱着が簡易・便利・清潔且つ安全にするを基にするためで有る。依って、該肛門と陰門との境・境界部分に区分帯として高・低・溝・付着とする構造・機能を設定して 便と尿との排泄物を区別、又は分離さて処理する方法である。排泄物を排泄するペニス・肛門・或いは陰門の排泄物を受ける・当てる・処理する・又は保持する等の、（オムツをも含む）具・体・器又は機能体の製品に 肛門・或いは陰門（又は 肛門或いはペニス）の排泄口に接する又は関与する部分に於いて、該肛門と陰門（又は  ペニスと肛門）の境とする関係・関与する部分に境・境界とする手段を設る事を特徴を有する製品（具・体・器又は機能体をも含む）。依って排泄する尿と大便の簡易な、区別、分類が出来る仕切部を設ける事により、排泄物の区分け処理する機構部分とする。此の構造により、少なくとも尿と大便の交わりは少なく、小便・大便の処理において、身体との関わり合いを衛生的にし簡易処理が可能である。  
【００１４】
排泄物を排泄するペニス・肛門・或いは陰門の排泄物を受ける・当てる・処理する・又は保持する等の、（具・体・器又は機能体をも含む）製品に於いて、
男性にては尿排泄のペニスと大便排泄の肛門に関与して受ける・当てる・処理する又は保持するを為す、具・体・器又は機能体の、ペニスと肛門とに関与・関係する上記記載具・体・器又は機能体の部分を該ペニスと肛門との位置関係の境に区分・仕切・部部分・スリット・溝（境溝）・山（境高）・丘・谷（深み）等を関与又は設定する手段、
【００１５】
又は女性にては尿排泄の陰門と大便排泄の肛門に関与して受ける・当てる・処理する又は保持するを為す、又は該具・体・器又は機能体の、陰門と肛門とに関与・関係する製品又は該部品を該陰門と肛門との位置の関係に境・区分（線引き・点線・溝・折り曲げ可能による区分等をも含むすべての区分を言う）・仕切・部部分・分類・分割・境高又は境溝にて関与する又は設定する手段を有する事を特徴とする。 又は具・体・器又は機能体とする。又利用の種々たる分類方法区分の使用在り方により請求項１・２・４・５・６の特徴を併せ持たせる事の製品により、より有効な製品とすることが出来る。
【００１６】
請求項４に記載された発明では、
ペニス・肛門・或いは陰門を各自別々に・単独に被着・被包・取り囲み・保持・又は被覆する手段を有して、尿と便とを、各自個々別々に関与し又は関係して管理する、又は該処する製品或いは部品は、吸水・吸収する、又は保持する、又は漏らす・逃す・排出する・又は浸す、又は逆流防止する事が出来える手段を有した特徴の上記記載の少なくても何れか１つ記載とする特徴を、請求項１乃至３項、請求項５乃至６項の少なくても何れか１つに記載の請求項。
【００１７】
又、前記記載に関する製品は、（請求項６参照）身体・物質・又は物体等に、圧着・押着・包囲・係合・係着・装着・付帯・添付・付設・垂れ下がり・又は付着させることも出来る手段を有する製品と組みすれば、より効率的・便利・安全・衛生的な製品となる。例えば、尚、又、上記記載ペニス・肛門・陰門に関する該製品の、外側にビニ−ル・点孔ビニ−ル等製作製品の内・内側・又は内面に吸水・吸収・或いは保持、又は漏らす・逃す・或いは浸す、又は逆流防止する事も出来える手段を有した製品とする、該関する製品を身体（他の物質・物体をも含む）に、圧着・押着・包囲・係合・係着・装着・付帯・添付・付設・垂れ下がり・又は付着させることが出来る手段を有し、ペニス・肛門・或いは陰門を被着・被包・取り囲み・保持・又は被覆する手段を各自、個々別々に有する、又は尿と便とを、各自、個々別々に関与し管理或いは処す製品・部品で有る故、それ等は、安定、固定、を計る構造・構成・機能等の出来る製品（請求項６参照）である。
【００１８】
例、ペニス・肛門・或いは陰門に於いて、それを被着・被包・取り囲み・保持・又は被覆する手段を各自、個々別々に所有させる製品の、該製品を吸水・吸収・或いは保持、又は漏らす・逃す・或いは浸す、又は逆流防止する事も出来える手段として為す、その手段を吸収材・吸水材等の例えば紙類にて製作し、その紙は、（ペニス・肛門・或いは陰門に、装着等する場合にも考慮、）ペニス・肛門・或いは陰門にあわせた形状、又はペニス・肛門・或いは陰門の出口・周囲・周辺にあわせた形状、又は排泄物の尿、或いは便にあわせた処理、保持する手段の特徴を持つ仕法としての該関与設定・該関与設置・該関与装着・関与添付・関与付帯・関与仕法・又は関与付着する該手段を設けた製品とする、等種々な仕法・構造・機能の該製品・部品を該身体との関係に、又関与させる。又、従って上記機能を共有、共存させてなる（例えば便の保持と処理との機能を一共、又は尿の保持と処理との機能を一共）特徴をも有する事の手段を設けた事を特徴とする。
【００１９】
依って、例えばペニス形状にあわせた状態・形状（袋等） ・陰門周囲にあわせた状態・形状・又は肛門周囲にあわせた状態・形状を形成して、該形状に圧着・押着・包囲・係合・係着・装着・付帯・添付・付設・垂れ下がり・結合・又は付着させる事が出来る部部を設定してベニス・肛門・陰門・及びベニス・肛門・陰門等の該口・該周囲に密着する・離れにくい（例・袋開口を持った袋体・）吸盤等の形状等を設定した状態にする事である。
【００２０】
依って、それ等を被着・被包・取り囲み・或いは包囲する手段として様々な形状を持つことが出来る。又該形状はそれ等にあわせた種々雑多なもので有り、且つ用途・汚物にあわせ、使用材料（紙等）を種々雑多に取り入れて作る。
又例えば、男性はペニスと金玉が連なっている構造身体であるため、金玉を身体の他部分と名称とし、機能体設定によっては、ペニスと金玉を１個とみなし、これに関与した手段と為す。又、例えば ペニス、陰門、肛門等に関与して、排出物、排棄物の該処理又は管理の仕法、（方法、仕方）仕法体、仕法具、（方法、仕方を為す器、具、体）はそれらペニス、陰門、肛門等を被着、被包、取り囲み、包囲、又は被覆する仕法、（方法、仕方）で係合、係着、関与する該手段を有する事が出来る。 
【００２１】
請求項５に記載された発明では、 
ペニスに関与する・関係する・関連する製品、該部分、該部品において、又は肛門に関与する・関係する・関連する製品、該部分、該部品において、又は陰門に関与する・関係する・関連する製品、該部分、該部品、に於いて、該製品、該部分、又は該部品は、包囲機能構造類・袋機能構造類・胞衣機能構造類・房機能構造類・部屋機能構造類・具機能構造類・機能体機能構造類・器機能構造類・機能体構造類・係止型機能構造類・ネット機能構造類・受け具機能構造類・受け体機能構造類・受け器機能構造類・逆流防止機能構造類・弁機能構造類・菊型開閉（星形構造）機能構造類・蛇腹式機能構造類・吸盤機能構造類・縮小可能とする機能構造類・拡大可能とする構造機能類・展開機能構造類・開閉機能構造類・剥離機能構造類・漏れ防止機能構造類・漏らす作用機能構造類・排出する機能構造類・複数穴設定機能構造類・係合機能構造類・係着機能構造類・案内機能構造類・吸水剤使用機能構造類・吸収材使用機能構造類・又は多重機能構造類とする特徴を有する。上記記載の特徴を、又は上記該構造・類等を、形状する、又は形態する、又は形成する、又は該機能を有する、又は該構造とする、又は該手段を有する、上記記載の各々の特徴を持つ。該特徴の上記記載の少なくても何れか１つ記載とする特徴の、請求項１乃至４項、請求項６の少なくても何れか１つ記載の請求項。
【００２２】
よって、ペニスに関与する製品・肛門に関与する製品・又は陰門に関与する製品に於いて、包囲機能と該構造類・袋機能と該構造類・胞衣機能と該構造類・房機能と該構造類・部屋機能と該構造類・具機能と該構造類・体機能と該構造類・器機能と該構造類・機能体機能と該構造類・係止型機能と該構造類・ネット機能と該構造類・受け具機能と該構造類・受け体機能と該構造類・受け器機能と該構造類・逆流防止機能と該設定構造類・弁機能と該設定構造類・菊型開閉（星形構
造）機能と該構造類・蛇腹式機能と該設定構造類・吸盤機能と該設定構造類・縮小可能とする機能と該設定構造類・拡大可能とする機能と該設定構造類・展開機能と該構造類・開閉機能と該構造類・剥離機能設と該構造類・漏れ防止機能と該構造類・漏らす作用機能と該構造類・排出する機能と該構造類・複数穴設定機能と該構造類・係合する機能と該構造類・係着する機能と該構造類・案内（ガイド）機能と該構造類・吸水剤使用機能と該構造類・吸収材使用機能と該構造類・又は多重機能と該構造類等を形体・形状・形態・形成とした、又は上記記載機能の所持、又は該構造を備えた。又はそれ等の該手段を備えた特徴を有する。該特徴の上記記載の少なくても何れか１つ記載（複数も可）とする特徴（製品）の、請求項１乃至４項、請求項６の少なくても何れか１つ記載（複数も可）の請求項。をなす事も可能にする。
【００２３】
例えば、ペニス、陰門、肛門等に関与する、排出物、排棄物の該管理又は処理を仕法体、仕法具、（方法、仕方を為す器、具、体）とする機能と該構造類は、それらペニス、陰門、肛門等に、１例、袋・胞衣類・機能体等を形状した形成類を請求項１乃至３項及び請求項５項の１つとした特徴にて、付帯、添付、付設、又は付着する等の方法で該仕法の仕法体、仕法具、とする（方法、仕方を為す器、具、体）事が出来える該手段を有する製品となす事が出来る。又、１例として、それ等の一つに胞衣類を形成して、付帯、添付、付設、又は付着する等で仕法の仕法体、仕法具、仕法器とする（或いは、方法、仕方を為す器、具、体）事が出来る該手段である。該胞衣に、スカ−トを持たせた形状を形成する事により、該機能を発揮する。或いは、房類を形成、例えば房形状は袋の真ん中に窪みを持たせ鏡餅のような形にして管理・処理が便利になる様にする。或いは、部屋類を形成、該部屋類は管理・処理が便利に為るよう部屋割り、仕切部屋、単独部屋等種々な部屋を製作する。或いは、体類・具類・器類を形成する。器類の器は柔軟性を持ち、該器は品物類を入れるうつわである故に、排泄物を入れる物として機能させる。該器の入口はペニス、陰門、肛門等に関与して排泄物を溜めることが出来る。又器の下部或いは側面に蓋を設定して排泄物の取り出しが可能とする。又排泄物が吸収さす紙或いはゲル材にて排泄物を固定・変化させる事もできる。或いは、ネット類で構成形成する。該ネットは肌面に優しく、又は吸収、もらし和の機能の一旦を担う。或いは、受け具、受け器、受け体類は排泄物を保持機能の一旦を担う。或いは、逆流防止設定構造類は、例えば、其の１つ、前記記載のような排泄物を保持機能を担う受け具、受け器、受け体類等に於いて、具、器、体内に入った排泄物が具、器、体内から逆流して、はみ出す或いは漏れ出す事がないように逆流防止機能が設定してある構造である。又其の１つ、具、器、体内に入った排泄物が満タン・溢れ出る程になる時に於ける機能装置として具、器、体から水分が逃げる・漏れる様な装置（下記の実記例『穴設定箇所』にて説明）穴・ネット等の機構を設置して、具、器、体内から排出した水分等が具、器、体内へ逆流しないように逆流防止機能が設定してある構造である。或いは、弁設定構造類は、袋構造類等の袋等内の口元に弁機能を設定し弁にて内容物の逆流防止を計る物である。或いは、菊型開閉（星形構造）類は、袋構造類等の袋等内の口元に菊型開閉（星形構造）機能を設定し菊型開閉（星形構造）にて内容物の逆流防止を計る物である。或いは、蛇腹式設定構造類は袋構造類等の袋等が蛇腹式構造を備え袋構造類等の袋内に入った排泄物が満タン・溢れ出る程になるのを防ぐための装置の一端として蛇腹形状を持たせ広がり形状の収容力を持たせた物である。
或いは、吸盤設定構造類は請求項１乃至５項、の少なくても何れか１つ記載の請求項の特徴に吸盤機能を持たせ、該機能機構はあらゆる物に吸着出来て装着等が出来る構造である。或いは、それ等に漏れ防止具、漏れ防止器、漏れ防止体類を形成して、漏れ防止を計る所の、排泄物の漏れを防ぐ機能と該構造と該材料にて製作形成する製品である。上記記載の特徴とする種々の該手段を単体或いは複数に備える事を特徴とする。       
【００２４】
又は、縮小又は拡大出来得る手段を有した事を特徴とする請求項１乃至４の少なくても何れか１つ記載の請求項で有る。この上記記載の排出物、排棄への該作用の仕法（方法、仕方）、該作用の仕法体、該作用の仕法具（方法、仕方を為す器、具）、又は該在り方、在り方体、在り方具、等を有する特徴は、又は排出物、排棄、処理、保持する該機能、能力、作用、該在り方の手段を有し、該手段として上記記載特徴を縮小、拡大出来得る機能、構成、作用、在り方を有した事を特徴とする（ 折り畳み、蛇腹、 風船、伸縮等の縮小又は拡大出来得る機能、構成、作用、在り方を有した事を特徴とする）請求項１乃至４の少なくても何れか１つ又は複数の記載の請求項である。     
【００２５】
該縮小、拡大とは、特徴とする請求項１乃至３項又は５項の製品を折り畳み、蛇腹、ギザギザ、膨らむ、縮む  等の作用、機能、構造、構成を単体又は複数に所持する。 又下記に記すように、種々の汚物に依り異なる対処する仕方をするべきである故例えば、便の対処・処理として、肛門口に密着する離れにくいする袋開口を持った袋（縮小させた袋）を設定した状態にて、この時、如何様な便の排泄の、大小・多少・固い柔らかい水分多い等が生じても 請求項１乃至４項の特許の特徴の１つと共に 請求項４の縮小する折り畳み仕法をさせておいた事により、身体による排出の該状況・状態・汚物に応じ、上記記載（縮小させた袋）具・体・器・機能体が拡大のびるので、設定する（該袋）外にはみ出ることがないので、衛生的で且つ処置し易い。又ペニスの形状体は変形し易い故、形状変形・移行にあわせた形状に縮小又は拡大が出来得る。
【００２６】
尚、  ペニスとは通常男性の尿が出る所をいう。又ペニスは陰茎、男根、なんこう、外尿道口と称されるもので、それは伸縮可能な棒の様な形状を呈してると、見ようによっては見える この様なペニスの扱いに於ける汚物の排泄状況に対処した処理が出来る事においても特徴が生かされる。陰門とは通常女性の尿が出る所をいう。女性の陰門と膀胱を繋ぐ尿道の距離は短い。又女子の陰門と肛門の位置は近く、フラットである。依って肛門からの排出する便との接触する機会が極めて多い。故に黴菌に感染しやすく、膀胱炎等を起こしやすいので、該特徴にて陰門を隔離若しくは便と接触を無くする様にし、又大量、少量の尿に於いても対処できる特徴を有する。肛門とは通常男性、女性共に便、うんこが出る所をいう。 又 尻の穴と称されるものである         
【００２７】
肛門から排出、排棄される便において、一例をあげると、便には、柔らかい物、固い物、水分を多量に含んだ物、細菌等がいる物と種々の物がある、依って、尿排出部分とを分離して、肛門から排出された便だけを分隔、分離して処理する手段を有し該手段により、（例えば該便を包み込んで、分離処理するので、便が他の部分の身体に触れることなく単独に簡易にまとめて取り出し処理できる）清潔に、簡易に保持、処理する事が出来る特徴を為されるもので、該発明の効果の特徴を持つものである。まして、女性の肛門と陰門とは接近しているし、又肛門と陰門の穴の場、位置はフラットで有る為、陰門に便が付き易いので膀胱の方にばい菌が進入しやすく病気に為りやすい。陰門から膣を経過して膀胱迄の距離は女性は短いので、病気の発生が多い。依って上記記載の肛門、ペニス、陰門からの廃棄物は、独立、単独に処理することにより、又縮小又は拡大出来得る機能・構成・作用・在り方・又は仕法を有した事を特徴とする事により、他の部分に拡散しない様に又他に漏れないように、簡易に扱いが出来る様な該手段を有し衛生的にする特徴を持つ。又ペニス、陰門等に於いても同様である。又例えば、男性はペニスと金玉が連なっている構造身体であるため、金玉を身体の他部分と名称とし、機能体設定によっては、ペニスと金玉を１個数とみなし、これに関与した手段と為す。
【００２８】
或いは、展開機能構造類は例えば関する製品とする袋に於いて、該袋にスリット・切り込み点線を設け、スリット・切り込み点線から展開して、ベニスに装着・密着する袋を取り除ける事を簡易にし又汚物に触れることなく便利・衛生的な物の取り扱いが出来る。或いは、開閉機能構造類は本件発明製品・部品等に於いて、該製品・部品を開閉出来得る構造を持ち、使用前後に対する処理方法が便利又は汚物に対する処理が衛生的・簡易にて出来得る機能構造である。該開閉方法として、マジックテ−プ（登録商標）・チャック・ファスナ−・留め金・留めスリット・袷重ね等その他種々がある。或いは、剥離機能設定構造類は請求項２の特徴を含むものから説明すればペニス・肛門・又は陰門から排出する排泄物に関与する、或いは関係する製品に於いて、該製品、或いは部分に、肛門と陰門との境・境界・区分・又は分離をする、又はペニスと肛門との境・境界・区分・又は分離をする事が出来得る手段を設る事を特徴とする製品に於いて、実施例１３・１４・１５（図１３・１４・１５）に示すように区分帯により尿・便の管理・保持とに分けられている部の尿側・便側別々に設定する単一作用吸収材を多重構造類の多重機能構造による幾重にも重ね併せる。該幾重にも重ね併せた単一作用吸収材（吸収紙は上部吸収大下部吸収小の浸透圧の変化を生じる機能構成とするものを一単位とした物を重ねる）を持ち、排泄物の如何により、その状況立場によって該単一作用吸収材を一枚〜二枚づつ剥がし、剥離していく、機能を持ち、汚物の一枚ずつ剥離除去をする事による最大限該減らす方法にて環境にも優しく又簡易便利さ及び経済的も節約出来る。又単独ペニス関与する開閉機能構造袋体においても、同じ様に幾重にも重ね併せた単一作用吸収材を用いることが出来る、単一作用吸収材を多重機能構造としてを持ち合わせる多重機能構造類である。或いは、案内機能構造類は、案内部を持ち誘導又はガイドする機能を持つ構成構造した、本発明の特徴である。例えば肛門から袋体に汚物を確実に排泄するためには袋体に案内部を設けて肛門迄に確実に誘導するガイドを設定して汚物を袋内へ案内する保持する。又ペニス・陰門に於いても同様な機能構造を設ける。又は、ペニス・陰門に於ける本発明の特徴の製品・部品において、該製品・部品を他の物に（身体、物質、物体等）装着・密閉する際、該製品・部品と装着部とを関与する過程に於いて、確実に密着出来るよう誘導・案内機能部を設けた構造類である
【００２９】
請求項６に記載された発明では、
身体・（からだ全部及び個別、部分の名称ペニス・陰門・肛門等の種々個別をも含むを指す）物質・又は物体等に、圧着・押着・密着・包囲・係合・係着・装着・付帯・添付・付設・垂れ下がり・つりさがり・持ち下がり・帯びたい・ワッパ帯・結合・係止・又は付着させることが出来得る手段を有する特徴の上記記載の少なくても何れか１つ記載とする特徴の、請求項１乃至５項の少なくても何れか１つ記載の請求項。
【００３０】
身体の部分又は本発明製品・部品又本発明製品・部品に関与する物質・物体又はその他物質・又は物体に於いて、上記記載に関与させる、全ての作用・機能・構成・又は構造  為すものを指すもので、全てを指すそれ等は具体的に挙げるあらば、次の様な言葉で有り、圧着・押着・密着・包囲・係合・係着・装着・付帯・添付・付設・垂れ下がり・つりさがり・持ち下がり・帯びたい・ワッパ帯・結合・係止・又は付着させることが出来得る手段を有する作用・機能・構成・構造の特徴である。其の１つとして、肛門を中にし両面お尻の膨らみを持って肛門が沈下・勃下している形状に関与して其の形状を生かされる様、挟み込みにて安定する形状を設定した形状の肛門口元とした袋の入り口とする。、例えば受け手口元を封じ込み、押し圧、安定長型等、の口元の形状に依って受けて具の安定を計る、詰まり肛門口に密着・圧着・押着、離れにくい袋開口を持った袋体を肛門に設定した状態にする事である。又、例えば、身体、オムツ、被服、布、皮その他種々の物質或いは物体等に圧着・押着・包囲・係合・係着・装着・付帯・添付・付設・結合又は付着するし得る事が出来る、請求項１乃至４項の特徴の少なくても何れか１つ又は複数の記載の請求項の特徴の製品・部品、或いは形状等の部分を、圧着・押着・包囲・係合・係着・装着・付帯・添付・付設・結合又は付着させて、該請求項の特徴の一つである所の安定を計る物であり、形状、位置等が、崩れない。ずれないようにする事もできる１つとしての機能である。依って、又排出される排泄物の安定し、固定す、移動不可、漏れ不可、等の機能の維持が可能となり、衛生的に汚物回収が出来得る。  又  オムツ等に付帯、添付、結合又は付着とする事を特徴とする請求項１乃至４項の少なくても何れか１つ又は複数の記載の請求項で、この機能により、該製品は固定安定し、汚物のずれ、移動を防ぎ、衛生的に安定し、更に簡易操作、扱い、回収する事が出来る。
【００３１】
又、単独、各自に扱いが出来る、ペニス・肛門・或いは陰門を（被着・被包・取り囲み・保持・又は被覆する手段を有した）各自、個々別々の設定した製品・部品に於いて、各自、個々別々の設定手段とした単独製品と単独製品とを結合・点と点線と線とで結ぶ・繋ぐ・橋渡しする、等とによって、関連とする、１つとする手段を有する事もできる製品である。
【発明の効果】
【００３２】
本発明は、この事由により、便と尿とが分離して簡易処理出来る・保持出来る・又機能、機構が出来る、又生理用品類の製品（変わり種のオムツの製品）として為し、機能的・効率的・衛生的・安全・手間が係らずに簡易に扱える、依って、それ等は単独、各自に扱いが出来る事により、取り付け、取り外す仕法も簡単になる、（例１つ、ガ−ド形状・構成の吊り・留め機能にて製品・部品を簡易固定）利用その利便性向上を図ったり、安全性向上を図ったする事により、依り良い製品とすることである。
【発明を実施するための最良の形態】
【００３３】
以下、本発明を実施するための形態を説明する（以下、実施形態という）。
なお、各実施形態を通じ、同一の部材、要素または部分には同一の符号を付して、其の説明を省略する。
【００３４】
（第１実施形態）
本実施例の図１は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。又 該袋体の口端に続く持ち出し垂れ上がりの吸盤型密着裾帯５の延長を持って ペニス１の上部・下部・周囲の身体に密着させて装着する方法・仕法の 請求項３・４・５の特徴を有する製品の１つの例である。
（第２実施形態）
本実施例の図２は、（第１実施形態）の詳細図である。     
【００３５】
（第３実施形態）
本実施例の図３は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。又 該袋体４は、ペニス１の形状を縦に沿って製作する包囲袋体を蛇腹式吸盤６の方式にて製作して、ペニスに密着させて装着する方法・仕法の 請求項４・５の特徴を有する製品の１つの例である。
（第４実施形態）
本実施例の図４は、（第３実施形態）の詳細図である。
【００３６】
（第５実施形態）
本実施例の図５は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。又 該袋体４は、ペニス１の形状袋を横に沿って蛇腹式吸盤６の方式を製作して、蛇腹式吸盤６がペニスに密着・装着する出来る方法・仕法の 請求項４・５の特徴を有する製品の１つの例である。
（第６実施形態）
本実施例の図６は、（第５実施形態）の詳細図である。
【００３７】
（第７実施形態）
本実施例の図７は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。又 該袋体４は、該袋体の端にペニス１の周囲に沿って係止するゴム類７を付帯してペニス身体に密着させて装着する方法・仕法のの方式を製作して、ペニス取り付け脱却を防ぐ方法・仕法の 請求項４・５・６の特徴を有する製品の１つの例である。
（第８実施形態）
本実施例の図８は、（第７実施形態）の詳細図である。
【００３８】
（第９実施形態）
本実施例の図９は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。該袋体は、多重構造１３を有し多重袋部の外側面１１の部は漏れ防止体・具の素材８（ビニ−ル等）にて加工し、排泄物・汚物の漏れ防ぐ。又内側面１２の袋部は排泄物・汚物を吸収し・漏らす或いは乾燥肌合い良好材料（吸収紙９・ガ−ゼ・ネット・穴有し該穴は外側大の吸水大・浸透圧大、又内側小の穴にて浸透小逆水小のテ−パ−加工の吸水材・従来のオムツ材のお肌サラサラ加工材等使用）を使用加工する、又外側面と内側面の袋部の中間部には、内側面の袋部から浸透した排泄物・汚物を吸収し、保持、受け体類（紙）を設定し多重構造を為す、該構造は上記機能体と為す手段を有する方法・仕法をなした 請求項４・５の特徴を有する製品の１つの例である。又外側面の袋部には多数の調整穴１０或いはネット類を設定して尿・便の漏れ・排出を促し該袋体全体の状況・環境を調整し身体への影響を良好にする。尚此処で穴有する本発明製品の上には、従来のオムツを重ね装着する事により依り衛生的安全性を持つ。又此処での穴が無い事もできえる本発明製品ともする。
（第１０実施形態）
本実施例の図１０は、（第９実施形態）の詳細図である。     
【００３９】
（第１１実施形態）
本実施例の図１１は、ペニス１を単体に請求項４・５の特徴、包囲する袋類・袋体を有し、該袋体４は、排泄物・汚物を保持し、又該保持物を処理をする等の仕法を有する構成・構造・機能を持つ請求項１の特徴 を有している。該袋体４は、ペニス１を包囲する袋に縦線のスリット１４（切り線・裂き線、裂き面等）を設定する。該袋をペニス１から取り外す際は、スリット１４（切り線或いは袷面）を切り、開閉させる面を広げて脱却する方法によりその回収が簡易・スム−ス且つ衛生的に出来る。請求項３・４・５の特徴を有する製品の１つの例である。
依って、『多重構造１３を有し多重袋部１３の外側面１１の部は漏れ防止体・具の素材８（ビニ−ル等）にて加工し、排泄物・汚物の漏れ防ぎ、又内側面１２の袋部は排泄物・汚物を吸収し・漏らす或いは乾燥肌合い良好材料（吸収紙９・ガ−ゼ・ネット等）を使用加工する、又外側面と内側面の袋部の中間部には、内側面の袋部から浸透した排泄物・汚物を吸収し、保持、受け体類（紙）を設定し多重構造を為す、該構造は上記機能体と為す手段を有する方法・仕法をなした 請求項３・４の特徴を有する製品の１つの例である。』『』内の構造の図９．１０に相当する部分を省いているが此の構造図９．１０を図１１・１２に使用するときに於いてこの構造作用が依り発揮される（排泄物がダバダバに多量に含んでいる場合に必要）又外側面の袋部には多数の調整穴１０或いはネット類を設定して尿・便の漏れ・排出を促し該袋体全体の状況・環境を調整し身体への影響を良好にする。請求項４・５・６の特徴を有する製品の１つの例である。多数の調整穴１０は内側面又は中間部（内面）に設けることが出来る。
（第１２実施形態）
本実施例の図１２は、（第１１実施形態）の詳細図である。     
【００４０】
（第１３実施形態）
本実施例の図１３は、請求項３の特徴、肛門・又は陰門の排泄に関係する・又は関与する部分に於ける、該肛門と陰門との境・境界・区分とする又は該関係する・関与する部と為す事が出来得る手段を設る事を特徴とする製品。便と尿との排泄物を分離させる・分けて処理する手段である所の、該肛門と陰門との境・境界部分に区分帯１５として高い山を形成して該肛門と陰門の存在を区分する構造を持つ。区分帯１５所持する変わり種オムツは、便と尿との排泄物を保持する為に吸収紙９にて製作する。該オムツには更に該肛門と陰門とに密着可能な機能の吸盤型５を呈して付着とする構造・機能を設定して いる。依って便と尿の排泄物の漏れを防ぐ。製品で脱着が簡易・便利・清潔且つ安全にするを基にするためで有る。依って、該肛門と陰門との境・境界部分に区分帯として高・（低・溝）付着とする構造・機能を設定して 便と尿との排泄物を分離さて処理する方法である。及び請求項１・４・５の特徴を有する製品の１つの例である。   
【００４１】
（第１４実施形態）
本実施例の図１４は、（第１３実施形態）の詳細図である。     
（第１５実施形態）
本実施例の図１５は、（第１３実施形態）の詳細図である。   
【００４２】
（第１６実施形態）
本実施例の図１６は、肛門３を単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。
（第１６実施形態）
本実施例の図１６は、肛門３を単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。又 該袋体の口端に続く案内ガイド１６は肛門３に案内させて方向付けを示す。又案内ガイド１６は肛門周辺のお尻に密着し得る吸盤５と連動させ肛門とお尻の関係を良好に保つ一対のガイド吸盤として、一対のガイド吸盤からセットされる袋体を設定する。（該袋体は取り外し、取り付け可能も可）更に袋体は折り畳み式構造を持ち、使用始め時には折り畳んで縮小してペチャンコに圧縮させ身体にピッタリ、フイットさせる所の縮小可能とする設定構造１７とさせた。又袋体内に排出物が排泄されたとき、折り畳み式構造の袋体が膨れて需要に応じて大きくなる所の拡大可能とする設定構造で１８ある。該袋体は折り畳み式構造を持ちガイド吸盤にセットされている、該袋体の口元に弁１９をセットされている。該弁は袋体内の排出物が逆流しないように逆流防止設定構造が設けられている。該方法・仕法の 請求項４・５・６の特徴を有する製品の１つの例である。尚、袋体の内に吸水材（例えばゲル材）を用いて吸収させ漏流出を防ぐ事も可能である。、
【００４３】
（第１７実施形態）
本実施例の図１７は、肛門３を単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。又 該袋体４の口端に菊型（星形）形状を有す構造２０を設定する。菊型（星形）形状は折り畳みにより該袋口元を閉止させる。（該袋体は取り外し、取り付け可能も可）
使用始め時には折り畳んで縮小密閉し弁可能として、袋体内の排出物が逆流しないように逆流防止設定の構造として設けられている。折り畳んで縮小密閉し弁可能菊型該袋口元を閉止逆流防止設定の構造の袋体内に排出物が排泄されるとき、
菊型該袋口元は下に向けて開方出来る手段を持ち袋体内に排出物の排泄事菊型該袋口元が開いて排出物は保持される、排出後、菊型該袋口元は閉ざされる、閉止逆流防止設定の構造の袋体となる。該方法・仕法は請求項４・５・６の特徴を有する製品の１つの例である。
【００４４】
（第１８実施形態）
本実施例の図１８は、（第１７実施形態）の詳細図である。菊型該袋口元は閉ざされる、閉止逆流防止設定の構造の袋体の菊型の該袋口元です。
（第１９施形態）
本実施例の図１９は、（第１７実施形態）の詳細図である。菊型該袋口元が開放されて、開方流出可能設定の構造の袋体の菊型該袋口元です。
【００４５】
（第２０実施形態）
本実施例の図２０は、ペニス１をを単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。ペニス１を包囲した袋体部分を従来のオムツ２１に又はパット・ナプキンに、（重ね着け）関与する部分に添付・装着（装着は、位置・角度でも、どの様な所でも可）させて該袋体を固定した構成・構造・機能を持つ請求項の特徴 を有している製品。
【００４６】
（第２１実施形態）
本実施例の図２１は、請求項３の特徴、肛門・又は陰門の排泄に関係する・又は関与する部分に於ける、該肛門と陰門との境・境界・区分とする又は該関係する・関与する部と為す事が出来得る手段を設る事を特徴とする製品。便と尿との排泄物を分離させる・分けて処理する手段である所の、該肛門と陰門との境・境界部分に区分帯１５として高い山を形成して該肛門と陰門の存在を区分する構造を持つ。区分帯１５所持する変わり種オムツは、便と尿との排泄物を保持する為に吸収紙９にて製作する。該オムツには更に該肛門と陰門とに密着可能な機能の吸盤型５を呈して付着とする構造・機能を設定して いる。依って便と尿の排泄物の漏れを防ぐ。その区分帯１５の肛門側部分に穴２２を設け、其の穴に関与して袋体を設定し便の排泄を保持する。更に区分帯１５に剥離可能機能材２３を設定する、はがし材質・品を貼付する構造である。又区分帯１５と袋体４は従来のオムツ２１を重ね着けするそれ等の関与する部分に添付・装着させて該袋体・区分帯１５を固定し、又取り外し・取り付け可能な構成・構造・機能とした請求項１・２・３・４・５・６の特徴 を有している製品。該製品は脱着が簡易・便利・清潔且つ安全にするを基にするためで有る所の付着・二重漏れ防止・剥がしとする構造・機能を設定する、便と尿との排泄物を分離さて処理する方法である。
【００４７】
（第２２実施形態）
本実施例の図２２は、肛門３を単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。又請求項２の特徴、便と尿との排泄物を分離させる・分けて処理する手段である所の、該肛門と陰門との境・境界部分に区分帯１５を形成して該肛門と陰門の存在を区分する構造を持つ。区分帯１５所持する変わり種オムツは、便と尿との排泄物を保持する為に吸収紙９にて製作する。該オムツには更に該肛門と陰門とに密着可能な機能の吸盤型５を呈して付着とする構造・機能を設定して いる。依って便と尿の排泄物の漏れを防ぐ。その区分帯１５に続く周囲の肛門側部分に穴２２を設け、其の穴に関与設定する袋体は、上部口元は引っかかる鍵型を持ち、袋部は折り畳み式で小さく圧縮出来得る物である。該袋体は柔軟性を持ち、該穴に通して上部口元の引っかかる鍵型２４を持って固定設定させる（固定設定の癒着・契合の方法は接着剤使用・形状組み入れ等の種々がある）便の排泄を保持する。又陰門からの尿の排出は、肛門からの便の排出と同じ方法でも良い又図１３の方法でも良い。
固定し、又取り外し・取り付け可能な構成・構造・機能とした請求項１・２・３・４・５・６の特徴 を有している製品。個人個人の状況状態により、従来のオムツりだけの使用で無く、本件製品と従来のオムツを重ね装着すれば、漏れに対して強くなる。該製品は脱着が簡易・便利・清潔且つ安全にするを基にするためで有る所の付着・二重漏れ防止・剥がしとする構造・機能を設定する、便と尿との排泄物を分離さて処理する方法である。
【００４８】
（第２３実施形態）
本実施例の図２３は、（第２２実施形態）の肛門側の詳細図である。又請求項３の特徴、便と尿との排泄物を分離させる・分けて処理する手段である。本実施例の図２３は、肛門３を単体に請求項４・５の特徴、包囲する袋類の袋体を有し、該袋体４は、排泄物・汚物を保持し、又該保持物を処理をする等の仕法を有する構成・構造・機能を持つ請求項１の特徴 を有している。その区分帯１５に続く周囲の肛門側部分に穴２２を設け、其の穴は段差を持った吸収紙９で製作され、袋体の上部口元が引っかかる鍵型が契合固定される。更に、該段差を持った穴より延長して設けられる先に吸盤体５が設けられて、お尻に密着させる。其の穴に関与設定する袋体は、上部口元は引っかかる鍵型を持ち、袋部は折り畳み式で小さく圧縮出来得る物である。該袋体は柔軟性を持ち、該穴に通して上部口元の引っかかる鍵型２４を持って固定設定させる（固定設定の癒着・契合の方法は接着剤使用・形状組み入れ等の種々がある）便の排泄を保持する。固定し、又取り外し・取り付け可能な構成・構造・機能とした請求項１・２・３・４・５・６の特徴 を有している製品。個人個人の状況状態により、従来のオムツりだけの使用で無く、本件製品と従来のオムツを重ね装着すれば、漏れに対して強くなる。該製品は脱着が簡易・便利・清潔且つ安全にするを基にするためで有る所の付着・二重漏れ防止・剥がしとする構造・機能を設定する、便と尿との排泄物を分離さて処理する方法である。
【００４９】
（第２４実施形態）
本実施例の図２４は、便と尿との排泄物を分離させる・分けて処理する手段である。本実施例の図２４は、肛門３を単体に包囲する袋類の袋体を有し、該袋体４は、排泄物・汚物を保持し、又該保持物を処理をする等の仕法を有する構成・構造・機能を持つ請求項１の特徴 を有している。肛門３に関与設定する袋体は、上部口元から延びる形状を持ち、該形状は肛門へ案内するガイド１６及びガ−ド２５に契合固定する部をも併せ持っている。該袋部は折り畳み式で小さく圧縮出来得る物である。該袋体は柔軟性を持ち、該袋部をガ−ド２５に固定し肛門３に関与させて安定させる。  ガ−ドは腰回りを結いし、該ガ−ドから下に下がって、足回りのガ−ドに関与・結いする。前記記載該足回りのガ−ド２５に前記記載の該袋部４を設定する。固定し、又取り外し・取り付け可能な構成・構造・機能とした請求項１・３・４・５・６の特徴 を有している製品。個人個人の状況状態により、従来のオムツりだけの使用で無く、本件製品と従来のオムツを重ね装着すれば、漏れに対して強くなる。該製品は脱着が簡易・便利・清潔且つ安全にするを基にするためで有る所の付着・二重漏れ防止・剥がしとする構造・機能を設定する、便と尿との排泄物を分離さて処理する方法である。
【００５０】
尚、実施形態は、ペニス・陰門・肛門・等のペニス単体にて説明していますが
他陰門・肛門の単体に於いても、あてはめた実施形態を行うことが出来ます。依って、又「課題を解決するための手段」上記目的を達成すべく、請求項に記載された発明では、の項の全項の記載に於いて、ペニス・陰門・肛門に関するもの全般に関して、為す事が出来る。
【００５１】
又（ペニス等）単体代表にて説明に依る物としているが、従って他のペニス・陰門・肛門に関するもの全般に関して成すもの・あてはめたものである。又、請求項に記載された発明では手段を有する（設けた・備えた）特徴の上記記載の少なくても何れか１つ記載とする特徴（製品）の、請求項１乃至４項、請求項６の少なくても何れか１つ記載の請求項。に於いて、 該特徴は何れか１つ記載の特徴又は複数の記載の特徴をも含み、該特徴及び該請求項等は複数或いは交差記載の特徴・製品となす事が出来る。
【００５２】
（第２５実施形態）
本実施例の図２５は、便と尿との排泄物を分離させる・分けて処理する手段である、ペニス或いは陰門及び肛門を単体に包囲する袋類の袋体を有し、各々の該袋体は、排泄物・汚物を保持し、又該保持物を処理をする等の仕法を有する構成・構造・機能を持つ（請求項１・２・４・５の）特徴 を有している。該ペニス或いは陰門及び肛門に関与するそれぞれ各自の該袋体を従来のパットの生理用品類の面の上側に関与・関連等の装着設定する袋体付きパットで有る。この様な構造にする事により、各々の該袋体の、排泄物・汚物を保持固定を計り、又該保持物を処理をするに当たり汚物の拡散・飛び散りを防ぐ簡易な処理を行える、衛生的な構造・製品である。
【００５３】
（第２６実施形態）
本実施例の図２６は、便と尿との排泄物を分離させる・分けて処理する手段である、ペニス或いは陰門及び肛門を単体に包囲する袋類の袋体を有し、各々の該袋体は、排泄物・汚物を保持し、又該保持物を処理をする等の仕法を有する構成・構造・機能を持つ（請求項１・２・４・５の）特徴 を有している。従来の生理用品類の１つであるパットに、上記のペニス或いは陰門及び肛門を単体に包囲する袋類の袋体を有し該袋体が関与・関連等する位置にパットに貫通穴を設定する。該パット貫通穴の下側に該袋体を関与・関連して装着設定する、袋体付きパットで有る。該ペニス或いは陰門及び肛門に関与するそれぞれ各自の該袋体をこの様な構造にする事により、各々の該袋体の、排泄物・汚物を保持固定を計り、又該保持物を処理をするに当たり汚物の拡散・飛び散りを防ぐ簡易な処理を行える、衛生的な構造・製品である。
【図面の簡単な説明】
【００５４】
【図１】第１実施例は生理用品の製品・部品の断面図
【図２】第２実施例は生理用品の製品・部品の断面図
【図３】第３実施例は生理用品の製品・部品の断面図
【図４】第４実施例は生理用品の製品・部品の断面図
【図５】第５実施例は生理用品の製品・部品の断面図
【図６】第６実施例は生理用品の製品・部品の断面図
【図７】第７実施例は生理用品の製品・部品の断面図
【図８】第８実施例は生理用品の製品・部品の断面図
【図９】第９実施例は生理用品の製品・部品の断面図
【図１０】第１０実施例は生理用品の製品・部品の断面図
【図１１】第１１実施例は生理用品の製品・部品の断面図
【図１２】第１２実施例は生理用品の製品・部品の断面図
【図１３】第１３実施例は生理用品の製品・部品の断面図
【図１４】第１４実施例は生理用品の製品・部品の平面図
【図１５】第１５実施例は生理用品の製品・部品の断面図
【図１６】第１６実施例は生理用品の製品・部品の断面図
【図１７】第１７実施例は生理用品の製品・部品の断面図
【図１８】第１８実施例は生理用品の製品・部品の平面図
【図１９】第１９実施例は生理用品の製品・部品の平面図
【図２０】第２０実施例は生理用品の製品・部品の断面図
【図２１】第２１実施例は生理用品の製品・部品の断面図
【図２２】第２２実施例は生理用品の製品・部品の斜面図
【図２３】第２３実施例は生理用品の製品・部品の断面図
【図２４】第２４実施例は生理用品の製品・部品の斜面図
【図２５】第２５実施例は生理用品の製品・部品の斜面図
【図２６】第２６実施例は生理用品の製品・部品の斜面図
【符号の説明】
【００５５】
１  ペニス    
２   陰門    
３  肛門   
４  袋体  
５  吸盤   
６  蛇腹式吸盤  
７  ゴム  
８  漏れ防止体・具の素材   
９  吸収紙   
１０多数の調整穴  
１１外側面  
１２内側面  
１３多重袋部     
１４スリット   
１５区分帯   
１６案内ガイド  
１７縮小可能とする設定構造     
１８拡大可能とする設定構造   
１９弁  
２０菊型（星形）形状     
２１従来のオムツ     
２２穴     
２３剥離可能機能材
２４引っかかる鍵型    
２５ガ−ド  
２６パット
【図１】
2007152088.tif 000003
【図２】
2007152088.tif 000004
【図３】
2007152088.tif 000005
【図４】
2007152088.tif 000006
【図５】
2007152088.tif 000007
【図６】
2007152088.tif 000008
【図７】
2007152088.tif 000009
【図８】
2007152088.tif 000010
【図９】
2007152088.tif 000011
【図１０】
2007152088.tif 000012
【図１１】
2007152088.tif 000013
【図１２】
2007152088.tif 000014
【図１３】
2007152088.tif 000015
【図１４】
2007152088.tif 000016
【図１５】
2007152088.tif 000017
【図１６】
2007152088.tif 000018
【図１７】
2007152088.tif 000019
【図１８】
2007152088.tif 000020
【図１９】
2007152088.tif 000021
【図２０】
2007152088.tif 000022
【図２１】
2007152088.tif 000023
【図２２】
2007152088.tif 000024
【図２３】
2007152088.tif 000025
【図２４】
2007152088.tif 000026
【図２５】
2007152088.tif 000027
【図２６】
2007152088.tif 000028